(57)【要約】      （修正有）【課題】レシプロソーのガイドシューの位置調整を簡易迅速になし得るようにし、かつ操作感の良いものにする。【解決手段】レシプロソー１の本体２の前端部に、ガイドシュー８を有する支持部材７を進退可能に設ける。支持部材７には複数の係合穴７ｂ〜７ｂおよび係合凹部７ｆ〜７ｆなどを進退可能に並べて形成する。いずれかの係合穴７ｂに係合可能な係合突部９ａを有する位置決め部材９を本体２に取り付け、係合突部９ａを弾性力で支持部材７に押圧する。支持部材７が位置決め部材９によって位置決めされた状態で係合凹部７ｆなどに係合／係合解除して支持部材７をロック／アンロックできるロック部材１０を本体２に設ける。【選択図】図２
2005238533.tif 000002
【特許請求の範囲】
【請求項１】
本体と、該本体に進退可能に取り付けられ前端部にガイドシューを有する支持部材と、該支持部材を複数段階の進退位置でロック可能なロック装置とを備えてなるレシプロソーであって、前記本体と前記支持部材間に、該支持部材が前記ロック装置によりロック可能な位置において互いに係合し該支持部材がロック可能な位置から外れると係合解除する係合部が設けられているレシプロソー。
【請求項２】
本体と、該本体に進退可能に取り付けられ前端部にガイドシューを有する支持部材と、該支持部材を複数段階の進退位置でロック可能なロック装置とを備えてなるレシプロソーであって、前記本体と前記支持部材間に、該支持部材の位置が前記ロック装置によりロック可能な位置からずれているときに該支持部材をロック可能な位置に向けて付勢する付勢手段が設けられているレシプロソー。
【発明の詳細な説明】
【技術分野】
【０００１】
本発明は、レシプロソーに関する。特に、レシプロソーが備えるガイドシューの位置調整に関する。
【背景技術】
【０００２】
電動工具であるレシプロソーを使用するときは、本体を安定させるために、本体前端部に取り付けられているガイドシューをワークにあてがった状態にして鋸刃で切断する。このガイドシューを、予め、鋸刃進退（往復動）方向に位置調整しておくことで、鋸刃のガイドシューからの突出長を容易に調節することができる。このようなガイドシューの位置調整構造としては、たとえば、次の技術が知られている。
特許文献１に開示されたレシプロソーにおいて、ガイドシューは鋸刃進退方向にスライドさせて位置調整可能な支持バーを介して本体に支持されている。この支持バーに複数の位置決め溝（特許文献１ではカムフェース）がスライド方向に並設される一方、位置決め溝に出入りして支持バーをロック／アンロックするための操作部材（特許文献１ではプランジャー）が本体側に設けられている。操作部材は支持バーをロックする方向に付勢されており、操作ボタンを押すことにより操作部材が移動して位置決め溝から離脱したときに支持バーがアンロックされる。すなわち、作業者が、このアンロック状態を保ちつつガイドシューを所望の位置に調整した後、操作ボタンから指を放せば、操作部材は付勢力により位置決め溝と係合して支持バー（ひいてはガイドシュー）がその位置にロックされるというわけである。
【０００３】
また、特許文献２に開示されたレシプロソーでは、ガイドシューを支持する支持ポストに複数の位置決め溝が設けられる一方、位置決め溝に係合／離脱して支持ポストをロック／アンロックするための操作部材（特許文献２ではピン）が本体側に、軸線回りの回動が可能に設けられている。この操作部材は断面が略半月形に形成されており、円弧状のピン表面が位置決め溝に係合する回転角位置と、フラット面で位置決め溝との係合を解除する回転角位置とを操作レバーを介して切替え操作可能に形成されている。この場合、作業者は、先ず操作レバーを操作して支持ポストをアンロック状態にし、支持ポストをスライドさせてガイドシューを所望の位置に調整した後、再び操作レバーを操作して支持ポストをロックするのである。
これらのレシプロソーでは、位置決め溝で定まる位置にガイドシューを確実に固定することができるという利点が期待できる。
【特許文献１】米国特許第５４２１０９１号明細書
【特許文献２】米国特許第５００７１７２号明細書
【発明の開示】
【発明が解決しようとする課題】
【０００４】
しかしながら、上記二つのレシプロソーのいずれにおいても、操作部材が位置決め溝と位置決め溝の間に位置しているときには、ガイドシューのロックができない状態が出現する。しかも、作業者は、ガイドシューの位置を調節しているとき（前者の例では操作ボタンを押し続けている間、後者の例では操作レバーを係合解除位置に回動させた後）、ガイドシューがロック可能な位置に調整されているのかロック不能な位置にあるのかがわからない。ガイドシューを希望の位置に調整してからロック操作してもロックできないことが起こる。この場合、操作部材を操作し直すとともにガイドシューを動かしてロック可能位置をさらに探る必要がある。つまり、それだけ手間がかかり、煩わしさが操作感を害していた。
【課題を解決するための手段】
【０００５】
本発明に係る一つのレシプロソーは、本体と、該本体に進退可能に取り付けられ前端部にガイドシューを有する支持部材と、該支持部材を複数段階の進退位置でロック可能なロック装置とを備えてなるレシプロソーであって、前記本体と前記支持部材間に、該支持部材が前記ロック装置によりロック可能な位置において互いに係合し該支持部材がロック可能な位置から外れると係合解除する係合部が設けられていることを特徴とする。
このレシプロソーでは、作業者によってガイドシューの位置調整がなされる際、支持部材がロック可能な位置にくると係合部が互いに係合し、その位置から外れると係合部が係合解除する。また、係合したことを、たとえば微小振動や音を介し情報として作業者に伝えることが可能になる。したがって、作業者は、ガイドシューの位置を調整する際に、ロック可能な位置なのかロック不能な位置なのかを識別しながら位置調整することができる。位置調整した位置ではロックできないことを後で知ることがなくなり、支持部材をロックすることが容易にできる。なお、上記係合部は、係合時に手応え（節度感）を操作者に伝えるとともに、支持部材の自重により係合が解除されないものとするのが好ましい。
【０００６】
本発明に係るまた一つのレシプロソーは、本体と、該本体に進退可能に取り付けられ前端部にガイドシューを有する支持部材と、該支持部材を複数段階の進退位置でロック可能なロック装置とを備えてなるレシプロソーであって、前記本体と前記支持部材間に、該支持部材の位置が前記ロック装置によりロック可能な位置からずれているときに該支持部材をロック可能な位置に向けて付勢する付勢手段が設けられていることを特徴とする。
このレシプロソーでは、支持部材は付勢手段によりロック可能な位置に向けて付勢されているので、ロック可能な位置で安定する。さらには、付勢手段によって支持部材をロック可能な位置に移動させて位置決めすることも可能になる。また、比較的小さな付勢力のため支持部材の移動が困難な場合であっても、操作する作業者に手応え（節度感）としてロック可能な安定位置を知らしめることができる。したがって、作業者は、支持部材の位置決めに煩わされることなく、支持部材をロックすることが容易にできる。なお、付勢手段は支持部材が自重で位置ずれを起こすのを阻止できるのが好ましい。付勢手段としては、たとえばバネを用いるとよい。
【発明の効果】
【０００７】
本発明により、ガイドシューを支持する支持部材の位置決めとロックが容易にできるようになるので、作業者はガイドシューの位置調整を簡易迅速になし得るとともに操作感が良くなるという効果がある。
【発明を実施するための最良の形態】
【０００８】
以下、本発明の実施例を図面に基づいて説明する。最初に、以下に説明する実施例の主要な特徴を列記する。
（形態１）  レシプロソーは、進退方向に並べて係合穴が形成されている支持部材と、その係合穴に係合する係合凸部を備える位置決め部材を備えている。
（形態２）  レシプロソーの支持部材に形成されている係合穴は、支持部材がロック可能な位置にあるときに位置決め部材の係合凸部と安定して係合する位置に設けられている。
（形態３）  レシプロソーの位置決め部材は、係合凸部が係合穴と係合する方向に係合凸部を付勢している。
（形態４）  レシプロソーの位置決め部材の係合突部は、支持部材の進退方向に対を成す斜面を有している。
（形態５）  レシプロソーの支持部材に形成されている係合穴間の壁部の上端面は、上向きに湾曲する凸曲面となっている。
【実施例】
【０００９】
図１は往復切断工具であるレシプロソーの全体を示す側面図である。同図に示すように、レシプロソー１の本体２はカバー２ａで覆われた構造であり、後端部に握りハンドル２ｂが設けられ、前端部には前後に往復運動するスライダ３が取り付けられている。本体２にはモータ４ａを有する駆動機構が内蔵されており、モータ４ａの回転出力がピ二オン４ｂ、ピ二オン４ｂと噛合するギヤ４ｃ、ギヤ４ｃに連結するクランク機構４ｄを介して往復動に変換されてスライダ３に伝達される。このスライダ３に鋸刃５の一端が装着され、上記駆動機構を介して鋸刃５が前後（図１の左右方向）に往復駆動されるのである。図中の６はモータ４ａをオンオフ操作するためのスイッチである。
【００１０】
本体２の前端部には前後方向に延びる案内レール２ｃが固定され、案内レール２ｃに沿ってスライドして進退（前後動）可能な支持部材７が設けられている。支持部材７の先端部にピン８ａを介してガイドシュー８が回動可能に取り付けられている。さらに本体２の前端部には、支持部材７の進退方向の位置決めをする位置決め手段と、支持部材７をロックするロック装置とからなる位置調整機構が設けられている。
【００１１】
次に、上記位置決め手段について説明する。図２〜図４に示すように、前記支持部材７は比較的浅い溝を形成する案内レール２ｃに嵌り込んで摺動する部分が溝形状に倣った断面略Ｕ字状に形成され、ほぼフラットな底部７ａに小判状の複数の係合穴７ｂ〜７ｂが案内レール２ｃの延びる方向、すなわち支持部材７の進退方向（前後方向ともいう）に並べて穿設されている。この支持部材７の上方に、基端が本体２にねじ止めされたバネ部材である位置決め部材９がカンチレバー状に延びており、位置決め部材９の先端には係合穴７ｂに係合可能な係合突部９ａが位置決め部材９の弾性力で支持部材７の底部７ａを押圧できるように設けられている。係合突部９ａは前後方向に対を成す斜面９ｂ、９ｃを有しており、斜面９ｂ、９ｃのいずれか一方が係合穴７ｂの直線状穴縁部に当接したときに、斜面９ｂ、９ｃの両方が穴縁部に当接するようになる安定した位置に向けて支持部材７を付勢することができる。なお、係合穴７ｂと係合突部９ａが係合することによって位置決めされたときの支持部材７の位置と、次述するロック装置にてロック可能なときの支持部材７の位置とが対応して位置ずれを生じないように設定されている。上記の係合穴７ｂと係合突部９ａが本発明でいう係合部を構成し、また、位置決め部材９が本発明でいう付勢手段を構成している。この係合部は適宜な形状の凹凸部等に置き換えることが可能である。なお、図２中の７ｓは支持部材７に形成された抜け落ち防止用のストッパー部である。
【００１２】
次に、前記ロック装置について説明する。支持部材７の左右の側壁部７ｃ、７ｄの上面に複数の係合凹部７ｅ〜７ｅ、７ｆ〜７ｆが前記係合穴７ｂ〜７ｂと同じ間隔で形成されている。一方、この係合凹部７ｅ、７ｆに対して係合／係合解除するためのロック部材１０が本体２の前端部で支持部材７を横切る位置に、左右方向へ配置切替え可能に設けられている。略丸棒状のロック部材１０には、側壁部７ｃ、７ｄとの係合を避ける切り欠き部１０ａ、１０ｂと、位置決め部材であるバネ１１の係合突部１１ａと係合するための係合溝１０ｃ、１０ｄが形成されている。バネ１１はロック部材１０により前後方向の動きが規制され、本体２の内壁により左右方向への動きが規制されるようにして装着されている。図４の（イ）は係合凹部７ｅ、７ｆに係合するロック部材１０により支持部材７がロックされた状態を示しており、ロック部材１０はバネ１１の弾性力によって係合突部１１ａが係合溝１０ｃに係合した位置に保持されている。この弾性力に抗してロック部材１０を矢印Ａ方向にプッシュして支持部材７をアンロックした状態が図４の（ロ）に示されている。このとき、切り欠き部１０ａ、１０ｂが側壁部７ｃ、７ｄの位置と合致することでロック部材１０と係合凹部７ｅ、７ｆとの係合が解除されて支持部材７がアンロック状態になり、ロック部材１０はバネ１１の弾性力によって係合突部１１ａが係合溝１０ｄに係合した位置に保持されている。なお、図３および図４中の１０ｅ、１０ｆはロック部材１０の端部に被せたキャップであり、ロック部材１０が軸心まわりに回転するのを禁止している。
【００１３】
さて、以上の構成を有するレシプロソー１においてガイドシュー８の位置調整をするときには、作業者は、先ず図４の（ロ）に示す位置まで矢印Ａ方向にロック部材１０を押して、支持部材７をアンロックする。この状態で支持部材７とガイドシュー８を押し引きして位置調整する。その際、支持部材７がスライド（進退）して係合穴７ｂ〜７ｂのいずれかに位置決め部材９の係合突部９ａが嵌り込むときの手応えが作業者に伝わるので、それに応じて作業者が力を緩めれば支持部材７は所定の進退位置、すなわちロック可能位置の一つに位置決めされるとともに位置決め部材９の弾性力で保持される。このとき対応する係合凹部７ｅ、７ｆの位置がロック部材１０と合致する位置関係になっており、図４の（イ）に示す位置までロック部材１０を押して係合凹部７ｅ、７ｆとロック部材１０とを係合させることで支持部材７をロックすることが容易にできる。
この場合、係合突部９ａと係合穴７ｂの位置が若干ずれていても位置決め部材９の斜面９ｂ、９ｃの一方が係合穴７ｂの穴縁部に当接することで、位置決め部材９の弾性力によって支持部材７は係合突部９ａが係合穴７ｂにしっかり嵌り込んだ安定した位置（正確な位置決め位置）に移動するかあるいは移動させ易くなる。これによって、ロックしようとしてもロックできない位置に位置決めされている事態の発生を防止できる。
【００１４】
（実施例２）実施例２のレシプロソーを説明する。これは前記実施例１のレシプロソー１において、係合部の別例を提案するものである。図５に示すように、支持部材１７に複数の係合穴１７ｂが一列に並べて形成されており、隣接する係合穴間の壁部１７ｃの上端面１７ｄが上向きに湾曲する凸曲面となっている。他方、位置決め部材９の係合突部９ａは下向きの凸曲面を形成している。したがって、この係合部構成では、係合突部９ａが上端面１７ｄのどの位置に当接しても不安定であり、位置決め部材９の弾性力によって支持部材１７は係合突部９ａが係合穴１７ｂに嵌り込む安定位置に向けて常に付勢される。これにより支持部材１７の位置決めがさらに容易にできるようになる。
【００１５】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
例えば、本実施例の支持部材では、位置決め部材の係合凸部が係合する係合穴を、ロック部材が係合する係合凹部とは別に設けているが、係合穴を形成することに換えて位置決め部材の係合凸部が支持部材の係合凹部に係合するようにしてもよい。
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数の目的を同時に達成するものであり、そのうちの一つの目的を達成すること自体で技術的有用性を持つものである。
【図面の簡単な説明】
【００１６】
【図１】実施例１のレシプロソーを示す一部破断側面図である。
【図２】同レシプロソーの要部拡大断面図である。
【図３】図２の矢視ＩＩＩ図であり、カバーを外した状態で示している。
【図４】図２のＶＩ−ＶＩ線断面図であり、（イ）はロック状態を示し、（ロ）はアンロック状態を示している。
【図５】実施例２のレシプロソーの特徴を説明する横断面図である。
【符号の説明】
【００１７】
１・・レシプロソー
２・・本体
７・・支持部材
７ｂ・・係合穴
７ｅ・・係合凹部
７ｆ・・係合凹部
８・・ガイドシュー
９・・位置決め部材
９ａ・・係合突部
１０・・ロック部材
【図１】
2005238533.tif 000003
【図２】
2005238533.tif 000004
【図３】
2005238533.tif 000005
【図４】
2005238533.tif 000006
【図５】
2005238533.tif 000007